(57)【要約】      （修正有）【課題】ステディリトリーブによっても軟質ルアーに集魚効果の高い動きを与えることが可能なジグヘッド付ルアー及びジグヘッドを提供する。【解決手段】ジグヘッド１は、金属製のヘッド２とヘッド２から突設され、軟質ルアーを装着するための装着部３と、Ｊ字状に湾曲された２つの針部４２を有し、２つの針部４２が互いに所定角度をなすように結合されたフック４とを備える。フック４は、ヘッド２から軟質ルアーへ向かう方向に見たときに２つの針部４２がＶ字状をなすようにヘッド２に取り付けられる。【選択図】図１
2019106892.tif 000002
【特許請求の範囲】
【請求項１】
軟質ルアーと、
前記軟質ルアーが装着されるジグヘッドと
を備え、
前記ジグヘッドは、
金属製のヘッドと、
前記ヘッドから突設され、前記軟質ルアーを装着するための装着部と、
Ｊ字状に湾曲された２つの針部を有し、前記２つの針部が互いに所定角度をなすように結合されたフックと
を有し、
前記フックは、前記ヘッドから前記軟質ルアーへ向かう長手方向に見たときに前記２つの針部がＶ字状をなすように前記ヘッドに取り付けられる、
ジグヘッド付ルアー。
【請求項２】
前記フックは、前記ヘッドに移動可能に取り付けられ、
前記ヘッドに設けられ、前記フックを着脱可能に保持するフック保持部を備える、
請求項１に記載のジグヘッド付ルアー。
【請求項３】
前記フックは、前記２つの針部のそれぞれが有する直線部が互いに平行に並び、
前記フック保持部は、２つの前記直線部に挟まれることによって前記フックを保持するように構成されている、
請求項２に記載のジグヘッド付ルアー。
【請求項４】
前記ヘッドは、前記装着部が設けられ、前記軟質ルアーが装着される装着面を有し、
前記フック保持部は、前記ヘッドにおける前記装着面より前記軟質ルアー側に突設される、
請求項３に記載のジグヘッド付ルアー。
【請求項５】
前記フック保持部は、前記装着面の上端から斜め上方に突設される、
請求項４に記載のジグヘッド付ルアー。
【請求項６】
前記フックが移動可能に取り付けられるフックアイを備え、
前記フックアイは、前記ヘッドの上面における前記装着面より前記軟質ルアーの反対側の部位に設けられる、
請求項４又は５に記載のジグヘッド付ルアー。
【請求項７】
前記フックアイは、前記ヘッドの前記長手方向中央位置より前記軟質ルアー側に設けられる、
請求項６に記載のジグヘッド付ルアー。
【請求項８】
前記装着部は、前記ヘッドから直線状に延びた棒状をなしている、
請求項１乃至７の何れかに記載のジグヘッド付ルアー。
【請求項９】
前記装着部の長さは、前記ヘッドにおける前記軟質ルアー装着側からの前記フックの長さに対して５０％以上１００％以下である、
請求項８に記載のジグヘッド付ルアー。
【請求項１０】
軟質ルアーが装着されるジグヘッドであって、
金属製のヘッドと、
前記ヘッドから突設され、前記軟質ルアーを装着するための装着部と、
Ｊ字状に湾曲された２つの針部を有し、前記２つの針部が互いに所定角度をなすように結合されたフックと
を備え、
前記フックは、前記ヘッドから前記軟質ルアーへ向かう方向に見たときに前記２つの針部がＶ字状をなすように前記ヘッドに取り付けられる、
ジグヘッド。
【発明の詳細な説明】
【技術分野】
【０００１】
本発明は、魚釣りに用いられるジグヘッド付ルアー及びジグヘッドに関する。
【背景技術】
【０００２】
図２０は、従来のジグヘッド付ルアーの一例を示す側面図である。従来のジグヘッドは、錘として機能する鉛製のヘッドに、Ｊ字状に湾曲した釣り針の軸部基端側が固着されて構成されている（例えば、特許文献１参照）。かかる従来のジグヘッドには、釣り針に軟質ルアーを装着させて使用される。軟質ルアーがジグヘッドに装着されて構成されたジグヘッド付ルアーは、一定速度でリールを巻くステディリトリーブではラインが引かれる方向に直線的に移動するだけであり、軟質ルアーに殆ど動きが生じない。したがって、アングラーは軟質ルアーに動きを付与するためにロッドを大きくあおるジャーキング、ロッドの先を小刻みに前後に動かすトゥイッチング等のロッドワークを行う。
【先行技術文献】
【特許文献】
【０００３】
【特許文献１】特開２００１−０４５９１８号公報
【発明の概要】
【発明が解決しようとする課題】
【０００４】
しかしながら、軟質ルアーに集魚効果の高い動きを付与できるかどうかは、アングラーのロッドワークの技量に左右される。また、熟練者によるロッドワークでも、従来のジグヘッド付ルアーでは軟質ルアーが上下又は左右に揺動するのみであり、動きが単調であった。
【０００５】
本発明は斯かる事情に鑑みてなされたものであり、その主たる目的は、上記課題を解決することができるジグヘッド付ルアー及びジグヘッドを提供することにある。
【課題を解決するための手段】
【０００６】
上述した課題を解決するために、本発明の一の態様のジグヘッド付ルアーは、軟質ルアーと、前記軟質ルアーが装着されるジグヘッドとを備え、前記ジグヘッドは、金属製のヘッドと、前記ヘッドから突設され、前記軟質ルアーを装着するための装着部と、Ｊ字状に湾曲された２つの針部を有し、前記２つの針部が互いに所定角度をなすように結合されたフックとを有し、前記フックは、前記ヘッドから前記軟質ルアーへ向かう長手方向に見たときに前記２つの針部がＶ字状をなすように前記ヘッドに取り付けられる。
【０００７】
この態様において、前記フックは、前記ヘッドに移動可能に取り付けられ、前記ジグヘッド付ルアーは、前記ヘッドに設けられ、前記フックを着脱可能に保持するフック保持部を備えてもよい。
【０００８】
上記態様において、前記フックは、前記２つの針部のそれぞれが有する直線部が互いに平行に並び、前記フック保持部は、２つの前記直線部に挟まれることによって前記フックを保持するように構成されていてもよい。
【０００９】
上記態様において、前記ヘッドは、前記装着部が設けられ、前記軟質ルアーが装着される装着面を有し、前記フック保持部は、前記ヘッドにおける前記装着面より前記軟質ルアー側に突設されてもよい。
【００１０】
上記態様において、前記フック保持部は、前記装着面の上端から斜め上方に突設されてもよい。
【００１１】
上記態様において、前記ジグヘッドは、前記フックが移動可能に取り付けられるフックアイを備え、前記フックアイは、前記ヘッドの上面における前記装着面より前記軟質ルアーの反対側の部位に設けられてもよい。
【００１２】
上記態様において、前記フックアイは、前記ヘッドの前記長手方向中央位置より前記軟質ルアー側に設けられてもよい。
【００１３】
上記態様において、前記装着部は、前記ヘッドから直線状に延びた棒状をなしていてもよい。
【００１４】
上記態様において、前記装着部の長さは、前記ヘッドにおける前記軟質ルアー装着側からの前記フックの長さに対して５０％以上１００％以下であってもよい。
【００１５】
本発明の他の態様のジグヘッドは、軟質ルアーが装着されるジグヘッドであって、金属製のヘッドと、前記ヘッドから突設され、前記軟質ルアーを装着するための装着部と、Ｊ字状に湾曲された２つの針部を有し、前記２つの針部が互いに所定角度をなすように結合されたフックとを備え、前記フックは、前記ヘッドから前記軟質ルアーへ向かう方向に見たときに前記２つの針部がＶ字状をなすように前記ヘッドに取り付けられる。
【発明の効果】
【００１６】
本発明によれば、ステディリトリーブによっても軟質ルアーに集魚効果の高い動きを与えることが可能となる。
【図面の簡単な説明】
【００１７】
【図１】実施の形態に係るジグヘッドの構成を示す斜視図。
【図２】実施の形態に係るジグヘッドの構成を示す正面図。
【図３】実施の形態に係るジグヘッドの構成を示す平面図。
【図４】実施の形態に係るジグヘッドの構成を示す右側面図。
【図５】実施の形態に係るジグヘッドの構成を示す底面図。
【図６】実施の形態に係るジグヘッドの構成を示す背面図。
【図７】実施の形態に係るジグヘッド付ルアーの構成を示す斜視図。
【図８】実施の形態に係るジグヘッド付ルアーの構成を示す正面図。
【図９】実施の形態に係るジグヘッド付ルアーの構成を示す平面図。
【図１０】実施の形態に係るジグヘッド付ルアーの構成を示す右側面図。
【図１１】実施の形態に係るジグヘッド付ルアーの構成を示す底面図。
【図１２】実施の形態に係るジグヘッド付ルアーの構成を示す背面図。
【図１３】実施の形態に係るジグヘッドに装着された軟質ルアーの可動域を説明するための平面図。
【図１４】実施の形態に係るジグヘッド付ルアーのローリングを示す正面図。
【図１５】実施の形態に係るジグヘッドの基本構成を示す右側面図。
【図１６】ジグヘッドの第１変形例を示す平面図。
【図１７】ジグヘッドの第１変形例を示す右側面図。
【図１８】ジグヘッドの第２変形例を示す平面図。
【図１９】ジグヘッドの第２変形例を示す右側面図。
【図２０】従来のジグヘッド付ルアーの一例を示す側面図。
【発明を実施するための形態】
【００１８】
以下、本発明の好ましい実施の形態を、図面を参照しながら説明する。なお、以下に示す各実施の形態は、本発明の技術的思想を具体化するための方法及び物を例示するものであって、本発明の技術的思想は下記のものに限定されるわけではない。本発明の技術的思想は、特許請求の範囲に記載された技術的範囲内において種々の変更を加えることができる。
【００１９】
図１は、本実施の形態に係るジグヘッドの構成を示す斜視図であり、図２はその正面図、図３はその平面図、図４はその右側面図、図５はその底面図、図６はその背面図である。なお、左側面図は右側面図と対称に表れるため省略する。図中において、矢印により方向を示している。ジグヘッド付ルアーの水中での進行方向を「前方」、進行方向とは逆方向を「後方」とする。また、ジグヘッドの頭頂側、即ちジグヘッド付ルアーの背側を「上側」、ジグヘッドのあご側、即ちジグヘッド付ルアーの腹側を「下側」とする。また、ジグヘッド付ルアーの正面に向かって右側を「右側」、左側を「左側」とする。
【００２０】
図１乃至６に示すように、ジグヘッド１は、ヘッド２と、装着部３と、フック４とを備える。
【００２１】
ヘッド２は、鉛、タングステン、錫等の金属によって構成されており、錘として機能する。かかるヘッド２は、前側が丸みを帯びた概略砲弾型をなしている。また、ヘッド２の上部後端は横方向に直線状に延びており、左右両端には約９０°の角を有する先鋭な隅部が形成されている。
【００２２】
なお、ヘッド２の形状は上記のようなものに限られない。例えば、ヘッド２の一部に水流制御用の窪みが形成されていてもよい。また、概略円錐型、角錐型、球形、魚の頭部を模した形状等であってもよい。
【００２３】
また、ヘッド２の上端には、上方に突出するようにラインアイ２１が設けられている。ラインアイ２１は、ラインを連結するための金属製部材であり、前後方向に延びる軸を中心とした環状に形成されている。また、ラインアイ２１の後方には、ヘッド２から上方に突出するようにフックアイ２２が設けられている。フックアイ２２は、フック４を連結するための金属製部材であり、左右方向に延びる軸を中心とした環状に形成されている。
【００２４】
フックアイ２２の後方には、フック保持用の突起であるフック保持部２３が設けられている。図４に示すように、フック保持部２３はヘッド２の上部後端の角部から後斜め上方へと突出した棒状部材であり、フック４を係止できるように硬度の高いステンレス鋼等の金属によって構成されている。
【００２５】
フック４はダブルフックであり、フックアイ２２に取り付けるための取付部４１と、取付部４１から延びる２つの針部４２とを有している。フック４は、一本の金属製の線状部材が湾曲されて形成されている。取付部４１は、前記線状部材の中央部がＣ字状に湾曲された部分である。針部４２は、取付部４１の両端から延びており、Ｊ字状に湾曲して形成されている。
【００２６】
針部４２の基端側には、直線状に形成された直線部４３が設けられている。２つの針部４２の直線部４３は互いに平行に延び、接触又は近接している。２つの直線部４３のそれぞれから先の部分は、互いに異なる方向に湾曲している。２つの湾曲部分の間の角度は、７０乃至１００°である。
【００２７】
かかるフック４はその取付部４１においてフックアイ２２に直接連結される。フック４１の２つの直線部４３の間に、フック保持部２３が挿入され、フック４がフック保持部２３に保持される。これにより、２つの直線部４３がフック保持部２３を挟む力で、フック４がヘッド２に固定される。
【００２８】
図２及び図６に示すように、フック保持部２３に保持された状態のフック４は、２つの針部４２が左右対称に斜め上方へそれぞれ延びるように、前側から見てＶ字状に配置される。
【００２９】
上記のように、ヘッド２の上面には、前から後へ向かって、ラインアイ２１、フックアイ２２、フック保持部２３がこの順番で設けられている。ラインアイ２１、フックアイ２２、フック保持部２３のそれぞれはこの順番でヘッド２の上面に設けられていればよく、これらの位置は限定されない。但し、ラインアイ２１とフックアイ２２との距離が近すぎると、ラインアイ２１にラインを締結する際の作業性が悪化する。このため、ラインアイ２１とフックアイ２２とは適正な距離を隔てていることが好ましい。また、フック４の大きさは限られており、フックアイ２２とフック保持部２３とが近すぎると、直線部４３にフック保持部２３が届かず、適切にフックを保持することができなくなる。このため、フックアイ２２とフック保持部２３とは適正な距離を隔てている必要がある。しかも、ヘッド２の大きさは限られており、その制約の中でラインアイ２１、フックアイ２２、フック保持部２３の設置位置を定める必要がある。かかる観点からは、ラインアイ２１がヘッド２の前後方向中央位置よりも前側に設けられることが好ましく、フックアイ２２がヘッド２の前後方向中央位置よりも後側に設けられることが好ましい。さらに、フックアイ２２はヘッド２の後端面（軟質ルアー５が装着される面。以下、「装着面」という）２４よりも前側に設けられることが好ましく、フック保持部２３は、ヘッド２の装着面２３から後側に突設されることが好ましい。
【００３０】
次に、装着部３について説明する。ヘッド２の後端は鉛直面である装着面２４となっており、この装着面２４の中央部から後方へ装着部３が延設されている。装着部３は、前後方向に直線状に延びる断面円形の棒状をなしており、前後方向の複数箇所にはリング状の凸部３１が設けられている。また、装着部３の先端側には、後方に向かうにしたがって細くなるように形成されたテーパ部３２が設けられている。さらに、このテーパ部３２の先端からは、直線状の針部３３が後方に延びている。針部３３は、ステンレス鋼等の硬度の高い材料によって構成される。装着部３のその他の部分は、ヘッド２と同一の材料によって構成され、鋳造によりヘッド２と一体成形されている。
【００３１】
図７は、本実施の形態に係るジグヘッド１に軟質ルアー５を装着した状態、即ち、ジグヘッド付ルアー１００の構成を示す斜視図であり、図８はその正面図、図９はその平面図、図１０はその右側面図、図１１はその底面図、図１２はその背面図である。なお、左側面図は右側面図と対称に表れるため省略する。ユーザは、前後方向に長い軟質ルアー５の前端に装着部３を挿入することで、ジグヘッド１に軟質ルアー５を装着する。軟質ルアー５の前端面が装着面２４と密着して又は若干の空間を隔てて対向するように、軟質ルアー５がジグヘッド１に装着される。かかる軟質ルアー５は、軟質合成樹脂、天然ゴム等の軟質素材を、魚、環形動物（ミミズ、ゴカイ等）等の胴体を模した細長い形状をなしている。なお、軟質ルアー５の形状はこれに限られず、ザリガニ、エビ、カエル等の甲殻類又は両生類の動物を模した形状であってもよい。
【００３２】
軟質ルアー５をジグヘッド１に装着するとき、ユーザは軟質ルアー５の前端面から装着部３を挿入する。このとき、細い針部３３が装着部３の先端に設けられているため、軟質ルアー５に針部３３を突き刺すことで、軟質ルアー５の前端面に小孔（裂け目）を形成できる。軟質ルアー５に装着部３をさらに深く挿入すると、テーパ部３２がこの小孔を押し広げる。テーパ部３２は先端が細いため、小孔に無理なく挿入できる。装着部３の概ね全体が軟質ルアー５に挿入されることで、軟質ルアー５の装着が完了する。
【００３３】
上記のように、装着部３が直線状に延びた棒状であるため、ユーザは軟質ルアー５に対して装着部３を真っ直ぐに挿入するだけで、容易に軟質ルアー５をジグヘッド１に装着できる。また、装着部３の側面には凸部３１が設けられているので、この凸部３１に軟質ルアー５が係止され、装着部３から軟質ルアー５が脱落することを防止できる。
【００３４】
図１３は、本実施の形態に係るジグヘッド１に装着された軟質ルアー５の可動域を説明するための平面図である。図１３に示すように、軟質ルアー５の前側の装着部３が挿入された範囲は変形しない。つまり、軟質ルアー５において、装着部３よりも後側の部分が可動域となる。このように、装着部３の長さに応じて軟質ルアー５の可動域が決まる。
【００３５】
軟質ルアー５は、可動域が大きいほど魚等に似た自然なアクションが可能となる。このため、装着部３の長さは短いことが好ましい。その一方で、装着部３の長さが短すぎると、軟質ルアー５を十分な力で係止できず、軟質ルアー５が脱落しやすくなってしまう。よって、装着部３の長さは、軟質ルアー５の可動域および軟質ルアー５を係止する力を考慮して決定する。かかる観点により、装着部３の長さは、ヘッド２の長さに対して５０％以上１５０％以下とすることが好ましい。
【００３６】
また、フック４が装着部３よりも後方に大きく突出していると、フック４が軟質ルアー５の動きに干渉して、軟質ルアー５のアクションが阻害される。このため、フック４は大きすぎないことが好ましい。他方、フック４が小さすぎると、食いついた魚への針掛かりが悪化すると共に、後述するようなジグヘッド付ルアー１００のローリングが十分に行われなくなる虞がある。これらの観点により、装着部３の前後方向長さは、フック４のヘッド２からの前後方向長さに対して５０％以上１００％以下とすることが好ましい。
【００３７】
次に、本実施の形態に係るジグヘッド付ルアー１００の動作について説明する。ジグヘッド付ルアー１００をステディリトリーブにより水中で進行させるとローリング、即ち、前後方向に延びる軸を中心として半回転の揺動を繰り返し行う。これは、フック４がフック保持部２３に保持されていることによる。
【００３８】
図１４は、ジグヘッド付ルアー１００のローリングを示す正面図である。上記のように、フック４はヘッド２の上部において保持されている。ジグヘッド付ルアー１００がステディリトリーブにより水中を引かれたとき、かかるフック４の２つの針部４２には、水流による抵抗力が印加される。これに対してヘッド２は表面が滑らかな概略砲弾型であるため、水流による抵抗力が小さい。つまり、ジグヘッド１の上部で強い抵抗力が生じる。これにより、水中で進行しているジグヘッド付ルアー１００の姿勢が不安定になる。また、フック４は左右対称に２つの針部４２を有している。このため、ジグヘッド付ルアー１００が水中で姿勢を崩したときに、一方の針部４２に水流による強い抵抗力が生じ、左右の一方側（例えば、左側）に回転する。なお、ここでいう「左側に回転する」とは、前後方向に延びる軸を中心としてジグヘッド付ルアー１００の上部が左側に倒れるように、つまり、正面視において反時計方向に回転することを意味する。
【００３９】
ここで、ヘッド２の上面にラインアイ２１が設けられているため、ラインが引かれるとジグヘッド付ルアー１００は前方斜め上方に引っ張られる。このように前方斜め上方に引かれる力が作用することにより、ジグヘッド付ルアー１００が左側に回転し続けることがなく、回転方向が右側に反転する。その後、他方の針部４２に水流による強い抵抗力が生じ、ジグヘッド付ルアー１００がさらに右側に回転する。このような動作が繰り返されることで、ジグヘッド付ルアー１００にローリングが発生する。これは小魚の動きに似ているため、この動きに対象魚が反応し、集魚効果が得られる。
【００４０】
対象魚がジグヘッド付ルアー１００を咥えたときには、フック４が対象魚の口等に突き刺さり、フック４に大きな力が作用する。この力によりフック４がフック保持部２３から外れ、ヘッド２に対して所定範囲で自在に変位可能となる。このため、対象魚が暴れたとしてもフック４が対象魚の動きに追従して変位し、対象魚からフック４が外れることが防止される。
【００４１】
（その他の実施の形態）
上記の実施の形態においては、ヘッド２の上部後端の角部から後斜め上方へと突出する棒状のフック保持部２３によってフック４を保持する構成について述べたが、これに限定されるものではない。図１５は、実施の形態に係るジグヘッドの基本構成を示す右側面図である。図１５で破線にて示す部分、即ち、フック保持部２３の形状及び設置部位はどのようなものであってもよい。但し、フック保持部は、ヘッド２の上側でフック４を保持するため、ヘッド２より上方に突出していることが好ましい。また、装着面２４に軟質ルアー５の装着を妨げるような構造物を設けることは好ましくない。このため、次の第１変形例のように、装着面２４とは異なる部位であって、装着面２４より後側にフック保持部を設けることが考えられる。図１６はジグヘッドの第１変形例を示す平面図であり、図１７はその右側面図である。第１変形例では、ヘッド２の上部を後側に延出させ、この延出部分の上面に、上方に突出する棒状のフック保持部１２３を設けている。フック４の２つの直線部４３でフック保持部１２３を挟むことにより、フック４を保持することができる。また、上記の実施の形態及び次の第２変形例のように、装着面２４の上端角部から後方にフック保持部を突設することも好適である。図１８はジグヘッドの第２変形例を示す平面図であり、図１９はその右側面図である。第２変形例では、ヘッド２の上部後端の角部から後方に延びるようにＬ字状のフック保持部２２３が設けられている。このフック保持部２２３は、ヘッド２から後方に延びる水平部分と水平部分の後端から上方に延びる垂直部分とを有しており、フック４の２つの直線部４３で垂直部分を挟むことにより、フック４を保持することができる。なお、図１５乃至図１９においては、フックを省略している。
【００４２】
また、フック保持部の構成だけでなく、ヘッドの形状、フックアイの設置位置も適宜設定することができる。例えば、実施の形態に係るジグヘッド１よりもフックアイの位置を前側にし、フック保持部をヘッド２の上端から垂直に突出するように設けてもよいし、ヘッドを前後方向に長くして、フック保持部をヘッド２の上端から垂直に突出するように設けてもよい。但し、ヘッドの前後方向長さはジグヘッド付ルアーの動きに影響を及ぼすため、様々なヘッドの前後方向長さに対応できる構成とすることが好適である。そのため、フック４の直線部４３の少なくとも一部がヘッド２の後端面（装着面２４）より後側に位置するようにフックアイ２２を設け、この後端面よりも後側に延びるようにフック保持部を設け、後端面よりも後側でフック４を保持する構成とすることが好ましい。
【産業上の利用可能性】
【００４３】
本発明のジグヘッド付ルアー及びジグヘッドは、魚釣りに用いられるジグヘッド付ルアー及びジグヘッドとして有用である。
【符号の説明】
【００４４】
１  ジグヘッド
２  ヘッド
２１  ラインアイ
２２  フックアイ
２３  フック保持部
２４  装着面
３  装着部
３１  凸部
３２  テーパ部
３３  針部
４  フック
４１  取付部
４２  針部
４３  直線部
５  軟質ルアー
１００  ジグヘッド付ルアー
【図１】
2019106892.tif 000003
【図２】
2019106892.tif 000004
【図３】
2019106892.tif 000005
【図４】
2019106892.tif 000006
【図５】
2019106892.tif 000007
【図６】
2019106892.tif 000008
【図７】
2019106892.tif 000009
【図８】
2019106892.tif 000010
【図９】
2019106892.tif 000011
【図１０】
2019106892.tif 000012
【図１１】
2019106892.tif 000013
【図１２】
2019106892.tif 000014
【図１３】
2019106892.tif 000015
【図１４】
2019106892.tif 000016
【図１５】
2019106892.tif 000017
【図１６】
2019106892.tif 000018
【図１７】
2019106892.tif 000019
【図１８】
2019106892.tif 000020
【図１９】
2019106892.tif 000021
【図２０】
2019106892.tif 000022
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
軟質ルアーと、
前記軟質ルアーが装着されるジグヘッドと
を備え、
前記ジグヘッドは、
金属製のヘッドと、
前記ヘッドから突設され、前記軟質ルアーを装着するための装着部と、
Ｊ字状に湾曲された２つの針部を有し、前記２つの針部が互いに所定角度をなすように結合され、前記ヘッドから前記軟質ルアーへ向かう長手方向に見たときに前記２つの針部がＶ字状をなすように前記ヘッドに取り付けられるフックと、
ラインアイと、
前記フックが移動可能に取り付けられるフックアイと、
前記フックを着脱可能に保持するフック保持部と、
を有し、
前記ラインアイ、前記フックアイ、及び前記フック保持部は、前記ヘッドの上面において、前記軟質ルアーの反対側から前記軟質ルアー側に向かってこの順番で設けられている、
ジグヘッド付ルアー。
【請求項２】
前記フックは、前記２つの針部のそれぞれが有する直線部が互いに平行に並び、
前記フック保持部は、２つの前記直線部に挟まれることによって前記フックを保持する
ように構成されている、
請求項１に記載のジグヘッド付ルアー。
【請求項３】
前記ヘッドは、前記装着部が設けられ、前記軟質ルアーが装着される装着面を有し、
前記フック保持部は、前記ヘッドにおける前記装着面より前記軟質ルアー側に突設される、
請求項２に記載のジグヘッド付ルアー。
【請求項４】
前記フック保持部は、前記装着面の上端から斜め上方に突設される、
請求項３に記載のジグヘッド付ルアー。
【請求項５】
前記フックアイは、前記ヘッドの上面における前記装着面より前記軟質ルアーの反対側の部位に設けられる、
請求項３又は４に記載のジグヘッド付ルアー。
【請求項６】
前記フックアイは、前記ヘッドの前記長手方向中央位置より前記軟質ルアー側に設けられる、
請求項５に記載のジグヘッド付ルアー。
【請求項７】
前記装着部は、前記ヘッドから直線状に延びた棒状をなしている、
請求項１乃至６の何れかに記載のジグヘッド付ルアー。
【請求項８】
前記装着部の長さは、前記ヘッドにおける前記軟質ルアー装着側からの前記フックの長さに対して５０％以上１００％以下である、
請求項７に記載のジグヘッド付ルアー。
【請求項９】
軟質ルアーが装着されるジグヘッドであって、
金属製のヘッドと、
前記ヘッドから突設され、前記軟質ルアーを装着するための装着部と、
Ｊ字状に湾曲された２つの針部を有し、前記２つの針部が互いに所定角度をなすように結合され、前記ヘッドから前記軟質ルアーへ向かう長手方向に見たときに前記２つの針部がＶ字状をなすように前記ヘッドに取り付けられるフックと、
ラインアイと、
前記フックが移動可能に取り付けられるフックアイと、
前記フックを着脱可能に保持するフック保持部と、
を備え、
前記ラインアイ、前記フックアイ、及び前記フック保持部は、前記ヘッドの上面において、前記軟質ルアーの反対側から前記軟質ルアー側に向かってこの順番で設けられている、
ジグヘッド。
【手続補正２】
【補正対象書類名】明細書
【補正対象項目名】０００６
【補正方法】変更
【補正の内容】
【０００６】
上述した課題を解決するために、本発明の一の態様のジグヘッド付ルアーは、軟質ルアーと、前記軟質ルアーが装着されるジグヘッドとを備え、前記ジグヘッドは、金属製のヘッドと、前記ヘッドから突設され、前記軟質ルアーを装着するための装着部と、Ｊ字状に湾曲された２つの針部を有し、前記２つの針部が互いに所定角度をなすように結合され、前記ヘッドから前記軟質ルアーへ向かう長手方向に見たときに前記２つの針部がＶ字状をなすように前記ヘッドに取り付けられるフックと、ラインアイと、前記フックが移動可能に取り付けられるフックアイと、前記フックを着脱可能に保持するフック保持部と、を有し、前記ラインアイ、前記フックアイ、及び前記フック保持部は、前記ヘッドの上面において、前記軟質ルアーの反対側から前記軟質ルアー側に向かってこの順番で設けられている。
【手続補正３】
【補正対象書類名】明細書
【補正対象項目名】０００７
【補正方法】削除
【補正の内容】
【手続補正４】
【補正対象書類名】明細書
【補正対象項目名】００１１
【補正方法】変更
【補正の内容】
【００１１】
上記態様において、前記フックアイは、前記ヘッドの上面における前記装着面より前記軟質ルアーの反対側の部位に設けられてもよい。
【手続補正５】
【補正対象書類名】明細書
【補正対象項目名】００１５
【補正方法】変更
【補正の内容】
【００１５】
本発明の他の態様のジグヘッドは、軟質ルアーが装着されるジグヘッドであって、金属製のヘッドと、前記ヘッドから突設され、前記軟質ルアーを装着するための装着部と、Ｊ字状に湾曲された２つの針部を有し、前記２つの針部が互いに所定角度をなすように結合され、前記ヘッドから前記軟質ルアーへ向かう長手方向に見たときに前記２つの針部がＶ字状をなすように前記ヘッドに取り付けられるフックと、ラインアイと、前記フックが移動可能に取り付けられるフックアイと、前記フックを着脱可能に保持するフック保持部と、を備え、前記ラインアイ、前記フックアイ、及び前記フック保持部は、前記ヘッドの上面において、前記軟質ルアーの反対側から前記軟質ルアー側に向かってこの順番で設けられている。